(57)【要約】【課題】利用者が、現物を確認ながら商品を選び、レジに並ばずに商品を購入する。【解決手段】利用者は、店舗において現物の商品を見ながら購入する商品を選ぶ。そして、購入する商品が決まったら、その商品に付与されている商品の識別情報を示す二次元バーコードを当該利用者の携帯電話１００により撮像する。購入する全ての商品について、二次元バーコードを撮像し終えると、利用者の任意の場所、任意の時間において、携帯電話１００からショッピングサーバ２００へ、撮像した画像から得られた商品の識別情報と、商品の配送先及び配送希望日時を送信する。ショッピングサーバ２００は、受信した識別情報により特定される商品の在庫を確認するとともに、当該商品の価格を取得して請求金額を算出し、決済処理を行う。決済処理が行われると、店舗では、指定された配送先、配送希望日時に従って、商品を配送する。【選択図】図１
2010061544.tif 000002
【特許請求の範囲】
【請求項１】
利用者の端末装置と、商品販売者のショッピング装置と、金融機関の払込システムとをネットワークを介して接続してなるショッピングシステムであって、
前記端末装置は、
購入商品の商品識別情報を示す画像を読み取る読取部と、
前記ショッピング装置へ、前記読取部によって読み取った画像により示される商品識別情報を送信するとともに、決済の指示及び配送先の情報を送信する情報送信部と、
前記ショッピング装置から決済番号を受信する受信部と、
を備え、
前記ショッピング装置は、
商品の商品識別情報及び価格を示す商品情報を記憶する記憶部と、
前記端末装置から、購入商品の商品識別情報を受信する購入要求受付部と、
前記購入要求受付部により受信した前記購入商品の商品識別情報に対応した価格の情報を前記記憶部から読み出し、当該価格から請求金額を算出する算出部と、
前記端末装置から決済の指示を受信して決済番号を割り当て、割り当てた決済番号と、前記算出部が算出した請求金額とを対応づけて前記記憶部に書き込むとともに、当該決済番号を前記端末装置へ通知する決済番号生成部と、
前記払込システムから決済番号及び照会要求を受信し、前記記憶部から当該決済番号に対応した請求金額の情報を返送する請求金額通知部と、
前記払込システムから決済番号及び支払完了の通知を受信し、受信した当該決済情報に対応させて支払完了の情報を前記記憶部に書き込む消込部と、
前記端末装置から受信した配送先の情報、及び、前記購入商品の商品識別情報を配送者端末に出力する配送指示部と、
を備え、
前記払込システムは、
前記決済番号の入力を受け、当該決済番号及び照会要求を前記ショッピング装置へ送信し、請求金額の情報を受信するとともに、当該請求金額の払込処理が行なわれた場合に、前記決済番号及び支払完了の通知を前記ショッピング装置へ送信する通知部
を備える、
ことを特徴とするショッピングシステム。
【請求項２】
前記ショッピング装置は、
前記端末装置から受信した利用者識別情報と、前記購入商品の商品識別情報とを示す履歴情報を前記記憶部に書き込むとともに、前記端末装置から利用者識別情報及び履歴出力要求を受信し、受信した利用者識別情報に対応した履歴情報を前記記憶部から読み出して返送する履歴管理部をさらに備え、
前記購入要求受付部は、前記履歴管理部が出力した履歴情報に含まれる購入商品の商品識別情報の中から選択された、再び購入する商品の商品識別情報を受信する、
ことを特徴とする請求項１に記載のショッピングシステム。
【請求項３】
前記情報送信部は、前記読取部によって読み取った、同じ商品識別情報を示す画像の数を購入数量として、当該商品識別情報と対応づけて前記ショッピング装置へ送信し、
前記購入要求受付部は、前記端末装置から、購入商品の商品識別情報及び購入数量の情報を受信し、
前記算出部は、前記購入商品の商品識別情報に対応した価格の情報を前記記憶部から読み出し、当該購入商品の購入数量と、当該購入商品の価格とから請求金額を算出し、
前記配送指示部は、前記端末装置から受信した配送先の情報と、前記購入商品の商品識別情報及び購入数量を前記配送者端末に出力する、
ことを特徴とする請求項１または２に記載のショッピングシステム。
【請求項４】
利用者の端末装置と、商品販売者のショッピング装置と、決済サービス提供企業の決済装置とをネットワークを介して接続してなるショッピングシステムであって、
前記端末装置は、
購入対象の個々の商品を特定する商品識別情報を示す画像を読み取る読取部と、
前記ショッピング装置へ、前記読取部によって読み取った画像により示される商品識別情報を送信するとともに、決済の指示及び配送先の情報を送信する情報送信部と、
を備え、
前記ショッピング装置は、
商品の商品識別情報及び価格を示す商品情報を記憶する記憶部と、
前記端末装置から、購入商品の商品識別情報を受信する購入要求受付部と、
前記購入商品の商品識別情報に対応した価格の情報を前記記憶部から読み出し、当該価格から請求金額を算出する算出部と、
前記端末装置から決済の指示を受信し、前記端末装置の利用者の利用者識別情報及び前記請求金額を前記決済装置へ送信し、決済を要求する決済処理部と、
前記端末装置から受信した配送先の情報、及び、前記購入商品の商品識別情報を配送者端末に出力する配送指示部と、
を備える、
ことを特徴とするショッピングシステム。
【請求項５】
前記算出部は、前記配送者端末から確保できなかった購入商品の商品識別情報を受信した場合に、当該購入商品の価格から返金金額を算出し、
前記決済処理部は、前記請求金額から前記返金金額を減算した請求金額による決済を前記決済装置へ要求する、
ことを特徴とする請求項４に記載のショッピングシステム。
【請求項６】
前記ショッピング装置は、
前記配送者端末から前記購入商品の配送準備が完了した旨の通知を受信し、前記端末装置へ配送を通知する配送通知部をさらに備える、
ことを特徴とする請求項１から請求項５のいずれかの項に記載のショッピングシステム。
【請求項７】
前記記憶部は、さらに商品識別情報に対応した在庫の情報を記憶しており、
前記ショッピング装置は、
前記端末装置から受信した購入商品の商品識別情報に対応した、前記記憶部内の在庫の情報に基づいて引当可能であると判断した場合に、当該在庫の情報を引当後の在庫を示す情報に書き換え、引当不可であると判断した場合に、購入商品から除外する引当手段をさらに備える、
ことを特徴とする請求項１から請求項６のいずれかの項に記載のショッピングシステム。
【請求項８】
利用者の端末装置と、商品販売者のショッピング装置と、金融機関の払込システムとをネットワークを介して接続してなるショッピングシステムにおける前記ショッピング装置のコンピュータを、
商品の商品識別情報及び価格を示す商品情報を記憶する記憶部、
前記端末装置から、当該端末装置により読み取った画像により示される購入商品の商品識別情報を受信する購入要求受付部、
前記購入要求受付部により受信した前記購入商品の商品識別情報に対応した価格の情報を前記記憶部から読み出し、当該価格から請求金額を算出する算出部、
前記端末装置から決済の指示を受信して決済番号を割り当て、割り当てた決済番号と、前記算出部が算出した請求金額とを対応づけて前記記憶部に書き込むとともに、当該決済番号を前記端末装置へ通知する決済番号生成部、
前記払込システムから決済番号及び照会要求を受信し、前記記憶部から当該決済番号に対応した請求金額の情報を返送する請求金額通知部、
前記払込システムから決済番号及び支払完了の通知を受信し、受信した当該決済情報に対応させて支払完了の情報を前記記憶部に書き込む消込部、
前記端末装置から受信した配送先の情報、及び、前記購入商品の商品識別情報を配送者端末に出力する配送指示部、
として機能させることを特徴とするコンピュータプログラム。
【請求項９】
利用者の端末装置と、商品販売者のショッピング装置と、決済サービス提供企業の決済装置とをネットワークを介して接続してなるショッピングシステムにおける前記ショッピング装置のコンピュータを、
個々の商品を特定する商品識別情報及び当該商品の価格を示す商品情報を記憶する記憶部、
前記端末装置から、当該端末装置により読み取った画像により示される購入商品の商品識別情報を受信する購入要求受付部、
前記購入商品の商品識別情報に対応した価格の情報を前記記憶部から読み出し、当該価格から請求金額を算出する算出部、
前記端末装置から決済の指示を受信し、前記端末装置の利用者の利用者識別情報及び前記請求金額を前記決済装置へ送信し、決済を要求する決済処理部、
前記端末装置から受信した配送先の情報、及び、前記購入商品の商品識別情報を配送者端末に出力する配送指示部、
として機能させることを特徴とするコンピュータプログラム。
【発明の詳細な説明】
【技術分野】
【０００１】
本発明は、ショッピングシステム及びコンピュータプログラムに関する。
【背景技術】
【０００２】
従来、ショッピングセンターや量販店などの店舗で買い物をする際には、商品を買い物かごやカートに入れるなどしてレジまで行き、レジで係員と対面して商品を確認の上、清算していた。
一方、特許文献１には、店舗において携帯電話により商品ＩＤを取り込み、この取り込んだ商品ＩＤを決済機に送信することにより、レジにて清算を行う商品購入システムが記載されている。また、特許文献２には、店舗において購入者が実際に商品を見ながら、貸与された買い物用端末により商品の情報を取得して購入する商品を選択し、レジにて代金を支払う商品販売システム等について記載されている。
【特許文献１】特開２００５−１９６４９４号公報
【特許文献２】特開２００３−２８８６４１号公報
【発明の開示】
【発明が解決しようとする課題】
【０００３】
上述した従来の技術においては、レジで購入者と係員が対面するため、レジでの待ち行列が発生する。この待ち行列を解消するためにはレジでの対応人数を増やさなければならない。カタログショッピングなどでは商品を持ち歩いたり、レジに並んだりする必要はないが、商品の現物を実際に確認して購入することはできない。
【０００４】
本発明は、上記の事情に鑑みてなされたものであり、購入者が、現物を確認ながら商品を選び、レジに並ばずに購入することができるショッピングシステム及びコンピュータプログラムを提供することを目的とする。
【課題を解決するための手段】
【０００５】
上記課題を解決するため、本発明は、利用者の端末装置と、商品販売者のショッピング装置と、金融機関の払込システムとをネットワークを介して接続してなるショッピングシステムであって、前記端末装置は、購入商品の商品識別情報を示す画像を読み取る読取部と、前記ショッピング装置へ、前記読取部によって読み取った画像により示される商品識別情報を送信するとともに、決済の指示及び配送先の情報を送信する情報送信部と、前記ショッピング装置から決済番号を受信する受信部と、を備え、前記ショッピング装置は、商品の商品識別情報及び価格を示す商品情報を記憶する記憶部と、前記端末装置から、購入商品の商品識別情報を受信する購入要求受付部と、前記購入要求受付部により受信した前記購入商品の商品識別情報に対応した価格の情報を前記記憶部から読み出し、当該価格から請求金額を算出する算出部と、前記端末装置から決済の指示を受信して決済番号を割り当て、割り当てた決済番号と、前記算出部が算出した請求金額とを対応づけて前記記憶部に書き込むとともに、当該決済番号を前記端末装置へ通知する決済番号生成部と、前記払込システムから決済番号及び照会要求を受信し、前記記憶部から当該決済番号に対応した請求金額の情報を返送する請求金額通知部と、前記払込システムから決済番号及び支払完了の通知を受信し、受信した当該決済情報に対応させて支払完了の情報を前記記憶部に書き込む消込部と、前記端末装置から受信した配送先の情報、及び、前記購入商品の商品識別情報を配送者端末に出力する配送指示部と、を備え、前記払込システムは、前記決済番号の入力を受け、当該決済番号及び照会要求を前記ショッピング装置へ送信し、請求金額の情報を受信するとともに、当該請求金額の払込処理が行なわれた場合に、前記決済番号及び支払完了の通知を前記ショッピング装置へ送信する通知部を備える、ことを特徴とするショッピングシステムである。
【０００６】
また、本発明は、上述するショッピングシステムにおいて、前記ショッピング装置は、前記端末装置から受信した利用者識別情報と、前記購入商品の商品識別情報とを示す履歴情報を前記記憶部に書き込むとともに、前記端末装置から利用者識別情報及び履歴出力要求を受信し、受信した利用者識別情報に対応した履歴情報を前記記憶部から読み出して返送する履歴管理部をさらに備え、前記購入要求受付部は、前記履歴管理部が出力した履歴情報に含まれる購入商品の商品識別情報の中から選択された、再び購入する商品の商品識別情報を受信する、ことを特徴とする。
【０００７】
また、本発明は、上述するショッピングシステムにおいて、前記情報送信部は、前記読取部によって読み取った、同じ商品識別情報を示す画像の数を購入数量として、当該商品識別情報と対応づけて前記ショッピング装置へ送信し、前記購入要求受付部は、前記端末装置から、購入商品の商品識別情報及び購入数量の情報を受信し、前記算出部は、前記購入商品の商品識別情報に対応した価格の情報を前記記憶部から読み出し、当該購入商品の購入数量と、当該購入商品の価格とから請求金額を算出し、前記配送指示部は、前記端末装置から受信した配送先の情報と、前記購入商品の商品識別情報及び購入数量を前記配送者端末に出力する、ことを特徴とする。
【０００８】
また、本発明は、利用者の端末装置と、商品販売者のショッピング装置と、決済サービス提供企業の決済装置とをネットワークを介して接続してなるショッピングシステムであって、前記端末装置は、購入対象の個々の商品を特定する商品識別情報を示す画像を読み取る読取部と、前記ショッピング装置へ、前記読取部によって読み取った画像により示される商品識別情報を送信するとともに、決済の指示及び配送先の情報を送信する情報送信部と、を備え、前記ショッピング装置は、商品の商品識別情報及び価格を示す商品情報を記憶する記憶部と、前記端末装置から、購入商品の商品識別情報を受信する購入要求受付部と、前記購入商品の商品識別情報に対応した価格の情報を前記記憶部から読み出し、当該価格から請求金額を算出する算出部と、前記端末装置から決済の指示を受信し、前記端末装置の利用者の利用者識別情報及び前記請求金額を前記決済装置へ送信し、決済を要求する決済処理部と、前記端末装置から受信した配送先の情報、及び、前記購入商品の商品識別情報を配送者端末に出力する配送指示部と、を備える、ことを特徴とするショッピングシステムである。
【０００９】
また、本発明は、上述するショッピングシステムにおいて、前記算出部は、前記配送者端末から確保できなかった購入商品の商品識別情報を受信した場合に、当該購入商品の価格から返金金額を算出し、前記決済処理部は、前記請求金額から前記返金金額を減算した請求金額による決済を前記決済装置へ要求する、ことを特徴とする。
【００１０】
また、本発明は、上述するショッピングシステムにおいて、前記ショッピング装置は、前記配送者端末から前記購入商品の配送準備が完了した旨の通知を受信し、前記端末装置へ配送を通知する配送通知部をさらに備える、ことを特徴とする。
【００１１】
また、本発明は、上述するショッピングシステムにおいて、前記記憶部は、さらに商品識別情報に対応した在庫の情報を記憶しており、前記ショッピング装置は、前記端末装置から受信した購入商品の商品識別情報に対応した、前記記憶部内の在庫の情報に基づいて引当可能であると判断した場合に、当該在庫の情報を引当後の在庫を示す情報に書き換え、引当不可であると判断した場合に、購入商品から除外する引当手段をさらに備える、ことを特徴とする。
【００１２】
また、本発明は、利用者の端末装置と、商品販売者のショッピング装置と、金融機関の払込システムとをネットワークを介して接続してなるショッピングシステムにおける前記ショッピング装置のコンピュータを、商品の商品識別情報及び価格を示す商品情報を記憶する記憶部、前記端末装置から、当該端末装置により読み取った画像により示される購入商品の商品識別情報を受信する購入要求受付部、前記購入要求受付部により受信した前記購入商品の商品識別情報に対応した価格の情報を前記記憶部から読み出し、当該価格から請求金額を算出する算出部、前記端末装置から決済の指示を受信して決済番号を割り当て、割り当てた決済番号と、前記算出部が算出した請求金額とを対応づけて前記記憶部に書き込むとともに、当該決済番号を前記端末装置へ通知する決済番号生成部、前記払込システムから決済番号及び照会要求を受信し、前記記憶部から当該決済番号に対応した請求金額の情報を返送する請求金額通知部、前記払込システムから決済番号及び支払完了の通知を受信し、受信した当該決済情報に対応させて支払完了の情報を前記記憶部に書き込む消込部、前記端末装置から受信した配送先の情報、及び、前記購入商品の商品識別情報を配送者端末に出力する配送指示部、として機能させることを特徴とするコンピュータプログラムである。
【００１３】
また、本発明は、利用者の端末装置と、商品販売者のショッピング装置と、決済サービス提供企業の決済装置とをネットワークを介して接続してなるショッピングシステムにおける前記ショッピング装置のコンピュータを、個々の商品を特定する商品識別情報及び当該商品の価格を示す商品情報を記憶する記憶部、前記端末装置から、当該端末装置により読み取った画像により示される購入商品の商品識別情報を受信する購入要求受付部、前記購入商品の商品識別情報に対応した価格の情報を前記記憶部から読み出し、当該価格から請求金額を算出する算出部、前記端末装置から決済の指示を受信し、前記端末装置の利用者の利用者識別情報及び前記請求金額を前記決済装置へ送信し、決済を要求する決済処理部、前記端末装置から受信した配送先の情報、及び、前記購入商品の商品識別情報を配送者端末に出力する配送指示部、として機能させることを特徴とするコンピュータプログラムである。
【発明の効果】
【００１４】
本発明によれば、利用者が、現物を確認ながら商品を選び、レジに並ばずに商品を購入することができる。
【発明を実施するための最良の形態】
【００１５】
［１．  本発明の概要］
以下、図面を参照して本発明の実施形態の例について説明する。
図１は、本発明の実施形態によるショッピングシステムが提供するレジレスショッピングサービスの概要を示す図である。
利用者は、店舗において現物の商品を見ながら購入する商品を選ぶ。そして、購入する商品が決まったら、その商品に付与されている商品の商品識別情報を示す画像を当該利用者の携帯電話１００により撮像する（ステップＳ１）。この商品識別情報を示す画像は、例えば、バーコード、２次元バーコード、文字などであり、個々の商品に貼付されたり、商品を陳列している棚等に掲示されたりする。購入する全ての商品について、商品識別情報を示す画像を撮像し終えると、利用者の任意の場所、任意の時間において、携帯電話１００からショッピングサーバ２００へ、撮像した画像から得られた商品識別情報と、商品の配送先及び配送希望日時を送信する（ステップＳ２）。ショッピングサーバ２００は、受信した商品識別情報により特定される商品の在庫を確認するとともに、当該商品の価格を取得して請求金額を算出し（ステップＳ３）、決済処理を行う（ステップＳ４）。決済処理が行われると、店舗では、指定された配送先、配送希望日時に従って、商品を配送する（ステップＳ５）。
【００１６】
［２．  第１の実施形態］
本実施形態では、商品の識別情報として、商品の種類を示す商品ＩＤを用いる。この商品ＩＤには、例えば、ＪＡＮ（Japanese Article Number）コードを使用することもできる。
【００１７】
［２．１  システム構成］
図２は、本実施形態によるショッピングシステムの構成を示す図であり、本発明と関係する機能ブロックのみ抽出して示してある。
可搬のコンピュータ端末としての携帯電話１００は、通信部１１０、入力部１２０、記憶部１３０、表示部１４０、読取部１５０、及び、処理部１６０を備える。通信部１１０は、携帯電話網、インターネット網などからなるネットワーク８１０を介して情報を送受信する。入力部１２０は、ボタンなどであり、利用者の操作による情報の入力を受ける。記憶部１３０は各種情報を記憶する。表示部１４０は、ＬＣＤ（Liquid Crystal Display）などのディスプレイである。読取部１５０は、カメラなどであり、商品ＩＤを示す画像を撮像する。画像がバーコードの場合、読取部１５０をバーコードリーダとすることもできる。
【００１８】
処理部１６０は、情報制御部１６１、表示制御部１６２及び情報送信部１６３を備える。情報制御部１６１は、記憶部１３０内の情報の読み出し及び書き込みを行なう。表示制御部１６２は、画面データを表示部１４０へ表示させる。情報送信部１６３は、読取部１５０によって撮像した画像により示される購入商品の商品ＩＤや、入力部１２０により入力された配送方法、配送希望日時、支払方法を示す情報などをショッピングサーバ２００へ通知する。
なお、携帯電話１００は、さらに、受話器及び送話器、ならびに、これらを制御する音声処理部（図示せず）をさらに備える。
【００１９】
商品の販売者であるレジレスショッピングサービス提供企業のショッピングサーバ２００は、例えば、１または複数台のサーバで構成することができ、通信部２１０、記憶部２２０、及び、処理部２３０を備える。
通信部２１０は、ネットワーク８１０を介して携帯電話１００と、ネットワーク８２０を介してカード会社サーバ３００と、ネットワーク８３０を介して電子マネーサーバ４００及びポイント管理サーバ５００と、ネットワーク８４０を介して金融機関システム６００と、ネットワーク８５０を介して配送者端末７００と情報を送受信する。ネットワーク８２０、８３０、８５０はセキュアな企業間ネットワークであり、ネットワーク８５０はローカルネットワークである。例えば、ネットワーク８２０は、クレジット情報照会サービス（例えば、CAFIS（Credit And Finance Information Switching system）（登録商標））のネットワークであり、ネットワーク８４０は、マルチペイメントネットワークであり、ネットワーク８５０は店舗内ＬＡＮ（Local Area Network）である。
【００２０】
記憶部２２０は、利用者情報、商品情報、注文情報、履歴情報、在庫情報等の各種情報を記憶する。利用者情報は、利用者の氏名、連絡先、利用者の認証するための情報等を示す。履歴情報は、利用者がこれまでに購入した商品の履歴を示す。商品情報は、商品の価格や商品説明等を示す。注文情報は、利用者から注文を受けた商品や、請求金額、配送先等の情報を示す。在庫情報は、各商品の在庫を示す。
【００２１】
処理部２３０は、登録部２３１、情報出力部２３２、購入要求受付部２３３、算出部２３４、引当部２３５、ポイント管理部２３６、与信要求部２３７、電子マネー決済部２３８、金融機関決済部２３９、配送指示部２４０、配送通知部２４１、売上データ生成部２４２、履歴管理部２４３を備える。
【００２２】
登録部２３１は、携帯電話１００から受信した情報に基づいて利用者情報を生成し、記憶部２２０へ登録する。情報出力部２３２は、記憶部２２０に記憶されている商品情報から商品説明の情報を取得して携帯電話１００へ送信する。購入要求受付部２３３は、携帯電話１００から購入商品の商品ＩＤを受信する。算出部２３４は、記憶部２２０に記憶されている商品情報が示す購入商品の価格等に基づいて、請求金額を算出する。引当部２３５は、記憶部２２０に記憶されている在庫情報に基づいて商品を引当てる。
【００２３】
ポイント管理部２３６は、ポイント管理サーバ５００からポイントを読み出したり、購入により発生したポイントや、購入の際に利用したポイントをポイント管理サーバ５００へ通知する。与信要求部２３７は、携帯電話１００から受信した支払方法の情報がクレジットカード決済を示している場合、カード会社サーバ３００へ与信処理を要求する。売上データ生成部２４２は、配送者端末７００から配送準備完了を受信した場合に、クレジットカード決済の売上データを生成する。電子マネー決済部２３８は、購入に利用された電子マネーを電子マネーサーバ４００へ通知する。金融機関決済部２３９は、金融機関による決済処理を行う。
【００２４】
配送指示部２４０は、購入商品、配送先、配送希望日時等を示す配送指示書データを配送者端末７００へ出力する。配送通知部２４１は、配送者端末７００から配送準備完了を受信した場合に、携帯電話１００へその旨を通知する。履歴管理部２４３は、記憶部２２０に記憶されている履歴情報を読み出して、携帯電話１００へ出力する。
【００２５】
クレジットカード会社のカード会社サーバ３００は、通信部３１０、記憶部３２０、与信処理部３３０、売上データ記録部３４０を備える。通信部３１０は、ネットワーク８２０を介して情報を送受信する。記憶部３２０は、クレジットカードのカード情報、加盟店番号、引落口座などを示す会員マスタや、クレジットカードの有効期限、名義人、カードが有効であるか否か、与信限度枠、現在の利用額、売上げデータなど、クレジットカードの正当性や取引に関する情報を記憶する。与信処理部３３０は、記憶部３２０内に記憶されている情報に基づいて、与信処理、すなわち、カード情報が正しいか否か、カードが有効であるか否か、与信限度枠を超えていないか否かを確認し、与信限度枠内において支払金額を押さえる処理を行う。売上データ記録部３４０は、クレジットカードの売上データを読み込んで、記憶部３２０へ書き込む。
【００２６】
電子マネーサービスを提供する企業の電子マネーサーバ４００は、各利用者の電子マネーを管理する。
ポイントサービスを提供する企業のポイント管理サーバ５００は、各利用者に付与されたポイントを管理する。ポイントとは、商品を購入した利用者に対して、その購入額や利用回数等に応じて特典として付与されるものであり、利用者は、貯めたポイントを商品券や景品と交換したり、商品購入時の割引に使用したりできるものである。
【００２７】
金融機関の金融機関システム６００は、インターネットバンキングサーバ６１０と金融機関通信装置６２０とからなる。
インターネットバンキングサーバ６１０は、ネットワーク８１０を介して接続される携帯電話１００などのコンピュータ端末へインターネットバンキングサービスを提供する。
金融機関通信装置６２０は、例えば、１または複数台のサーバで構成することができ、通信部６２１、通知部６２２を備える。通信部６２１は、ネットワーク８４０を介してショッピングサーバ２００と情報を送受信したり、インターネットバンキングサーバ６１０と専用回線により情報を送受信したりする。なお、金融機関通信装置６２０は、インターネットバンキングサーバ６１０に接続される金融機関の基幹システム、例えば、勘定系のホストサーバ（図示せず）と接続されることでもよい。通知部６２２は、インターネットバンキングサーバ６１０が受信した決済番号や、インターネットバンキングによる支払が完了した旨の通知をショッピングサーバ２００に送信するとともに、ショッピングサーバ２００から受信した支払内容の情報をインターネットバンキングサーバ６１０に通知する。
【００２８】
配送者端末７００は、店舗あるいは配送センターに設置され、ショッピングサーバ２００から受信した帳票のデータ、例えば、配送指示書データを受信し、当該配送者端末７００に接続されたプリンタにより配送指示書を印刷する。
【００２９】
［２．２  データ構成］
次に、ショッピングサーバ２００の記憶部２２０に記憶される情報について説明する。
図３は、ショッピングサーバ２００の記憶部２２０に記憶される利用者情報のデータ構成例を示す図である。同図において、利用者情報は、利用者を一意に識別する利用者ＩＤ、利用者の氏名、住所、メールアドレス、携帯電話番号、決済情報、パスワード、利用可能な店舗の情報を含む。決済情報は、クレジットカードのカード番号及び有効期限を示す。なお、電子マネーサービス、ポイントサービスにおいて使用される利用者ＩＤが、レジレスショッピングサービスの利用者ＩＤと異なる場合には、その利用者ＩＤが利用者情報にさらに設定される。そして、電子マネーシステム４００に利用者ＩＤを通知する場合は、レジレスショッピングサービスの利用者ＩＤから電子マネーサービスの利用者ＩＤに変換して通知し、ポイント管理サーバ５００に利用者ＩＤを通知する場合は、レジレスショッピングサービスの利用者ＩＤからポイントサービスの利用者ＩＤに変換して通知する。
【００３０】
図４は、ショッピングサーバ２００の記憶部２２０に記憶される商品情報のデータ構成例を示す図である。同図において、商品情報は、店舗ＩＤ、商品ＩＤ、商品の商品名、価格、重量・サイズ、当該商品を配送するときに使用する配送手段、商品説明の情報を含む。商品説明は、例えば、商品ができた背景などの説明や、商品が食品であれば産地やカロリー、商品が家電機器であればスペックなど、商品についての任意の説明を示すものである。
【００３１】
図５は、ショッピングサーバ２００の記憶部２２０に記憶される注文情報のデータ構成例を示す図である。注文情報は、利用者ＩＤ、店舗ＩＤ、注文日時、配送先住所及び配送希望日時を示す配送指示、購入商品の商品ＩＤ、購入数量及び価格のリストである注文商品リスト、商品の合計金額、配送料金、請求金額、支払方法、決済ステータス、決済番号、支払ステータス、配送指示書番号、配送ステータスの情報を含む。決済番号及び支払いステータスは、支払方法がインターネットバンキング払い、例えば、ペイジー（登録商標）による支払である場合に設定される。決済番号は、収納機関番号と、お客様番号と、確認番号とからなる。なお、収納機関番号は、レジレスショッピングサービス提供企業の企業コードとする。支払ステータスは、インターネットバンキングによる支払が支払未であるか支払済であるかを示す
【００３２】
図６は、ショッピングサーバ２００の記憶部２２０に記憶される履歴情報のデータ構成例を示す図である。同図において、履歴情報は、利用者ＩＤ、店舗ＩＤ、注文日時、商品ＩＤ及び購入数量のリストである購入リストの情報を含む。
【００３３】
図７は、ショッピングサーバ２００の記憶部２２０に記憶される在庫情報のデータ構成例を示す図である。同図において、在庫情報は、商品ＩＤと引当可能数量とを対応づけた情報を示す。
【００３４】
［２．３  業務フロー］
図８は、本実施形態によるショッピングシステムを用いたレジレスショッピングサービスの業務フローを示す図である。
【００３５】
＜ステップＳ１１：会員登録＞
まず、利用者は自身の携帯電話１００からショッピングサーバ２００にアクセスして、レジレスショッピングのアプリケーションをダウンロードし、インストールする。このダウンロードに伴い、ショッピングサーバ２００にレジレスショッピングサービスの会員登録を行なう。
【００３６】
＜ステップＳ１２：購入商品のバーコード撮像＞
会員登録を行なった後、利用者は店舗に出向き、現物の商品を見ながら購入する商品を選ぶ。利用者は、購入商品の商品ＩＤを示す画像を携帯電話１００により撮像する。以下では、商品ＩＤを示す画像が、ＱＲコードなどの二次元バーコードである場合を例に説明する。
【００３７】
＜ステップＳ１３：購入内容の確認及び決済＞
利用者は、購入する全ての商品の二次元バーコードを撮像し終えると、携帯電話１００に購入手続開始指示を入力する。これにより携帯電話１００は、撮像した二次元バーコードから得られた商品ＩＤをショッピングサーバ２００へ送信する。ショッピングサーバ２００は、受信した商品ＩＤにより特定される商品の商品名や価格、請求金額等の情報を携帯電話１００に通知する。利用者は、携帯電話１００に表示されるこれらの情報を確認すると、配送先及び配送希望日時、支払方法を入力する。ショッピングサーバ２００は、携帯電話１００から配送先及び配送希望日時、支払方法の情報を受信し、この支払方法に応じた決済処理を実行する。
【００３８】
＜ステップＳ１４：帳票出力及び商品準備＞
ショッピングサーバ２００は、配送指示書データを店舗あるいは配送センターの配送者端末７００に出力する。配送指示書データには、利用者が購入した商品、配送先及び配送希望日時等の情報が含まれる。店舗あるいは配送センターは、配送者端末７００に接続されるプリンタにより、配送指示書データに基づく配送指示書を印刷する。店舗あるいは配送センターでは、印刷された配送指示書に従って商品を準備する。
【００３９】
＜ステップＳ１５：商品配送＞
配送担当者（配送業者）は、配送指示書に記載された配送場所、配送希望日時に届くよう、商品を配送する。
＜ステップＳ１６：商品受け取り＞
利用者は、自身が指定した場所において購入した商品を受け取る。
【００４０】
［２．４  詳細処理手順］
次に、図８に示す業務フローのステップＳ１１〜Ｓ１４におけるショッピングシステムの詳細な処理を説明する。
【００４１】
［２．４．１  会員登録処理］
図８のステップＳ１１における会員登録の詳細な処理を説明する。
利用者は、携帯電話１００の入力部１２０により、レジレスショッピングのアプリケーションダウンロードサイトのＵＲＬ（Universal Resource Locator）を入力するか、あるいは、当該アプリケーションダウンロードサイトのＵＲＬの情報を格納したＱＲコードなどの二次元バーコードを携帯電話１００の読取部１５０により撮像する等の方法によりＵＲＬを取得し、アクセスを指示する。続いて、利用者は、携帯電話１００の入力部１２０により、氏名、住所、メールアドレス、携帯電話番号、クレジットカードのカード番号及び有効期限を示す決済情報、パスワード、利用可能店舗等の会員登録情報と、登録指示を入力する。なお、利用可能店舗の情報は、利用する店舗を限定する場合のみ入力するものとする。
【００４２】
携帯電話１００は、入力された会員登録情報をショッピングサーバ２００に送信する。ショッピングサーバ２００の登録部２３１は、新たなレジレスショッピングサービスの利用者ＩＤを生成すると、受信した会員登録情報と、生成した利用者ＩＤとを設定した利用者情報を記憶部２２０に書き込み、会員登録する。利用者情報の登録後、登録部２３１は、記憶部２２０から読み出したレジレスショッピングのアプリケーションを携帯電話１００にダウンロードする。
【００４３】
アプリケーションのダウンロード後、利用者が、携帯電話１００の入力部１２０によりインストール指示を入力すると、ダウンロードされたアプリケーションが携帯電話１００にインストールされ、処理部１６０が生成される。なお、ダウンロードされたアプリケーションには、利用者ＩＤとパスワードの情報が含まれており、処理部１６０の指示によりショッピングサーバ２００との通信を行なう際には、常に利用者ＩＤとパスワードの情報が送信される。ショッピングサーバ２００は、携帯電話１００から受信した利用者ＩＤとパスワードの組が、記憶部２２０内のいずれかの利用者情報に登録されている場合に、利用者が正当であると判断する。ショッピングサーバ２００は、正当ではない利用者ＩＤとパスワードの組を携帯電話１００から受信したときには不正処理を実行し、レジレスショッピングサービスを提供しない。
【００４４】
なお、携帯電話１００にアプリケーションをダウンロードしておき、このダウンロード時にショッピングサーバ２００から通知された会員情報登録サイトのＵＲＬにパーソナルコンピュータなどからアクセスして、会員登録情報をショッピングサーバ２００へ送信し、利用者情報を登録することでもよい。あるいは、申込書の内容に基づいてレジレスショッピングサービス提供企業の担当者がショッピングサーバ２００に利用者情報を直接入力し、登録を行なうことでもよい。
【００４５】
［２．４．２  購入商品のバーコード撮像］
図８のステップＳ１２における購入商品のバーコード撮像の詳細な処理を説明する。
図９は、購入商品のバーコード撮像における携帯電話１００の処理フローを示す。
利用者は、店舗に出向き、携帯電話１００の入力部１２０により、レジレスショッピングアプリケーションの起動指示を入力する。利用者は、店舗の入口等において、携帯電話１００の読取部１５０により、当該店舗の店舗ＩＤを示す画像、例えば、二次元バーコードを撮像する（ステップＳ２１）。あるいは、携帯電話１００にタグリーダを備えておき、店舗に設置されたＩＣタグなどから店舗ＩＤを読み込むことでもよい。あるいは、ショッピングサーバ２００へアクセスし、店舗ＩＤを取得することでもよい。
【００４６】
利用者は、店舗内で現物の商品を見ながら購入商品を選び、購入商品の商品ＩＤを示す画像である二次元バーコードを携帯電話１００により撮像する（ステップＳ２２）。この二次元バーコードには、商品ＩＤに加えて、配送可／不可を示す情報が含まれているものとする。二次元バーコードを印刷したシールや紙は、商品の表面に貼付したり、価格タグに表示したりすることでもよく、商品陳列棚上の商品プレート等に表示してもよい。
【００４７】
携帯電話１００の読取部１５０による二次元バーコードの読み取りが成功し、この読み取った二次元バーコードから商品ＩＤ、配送可／不可の情報が取得できた場合、情報制御部１６１は、取得した配送可／不可の情報が、配送可を示しているかを判断する（ステップＳ２３）。配送不可を示している場合（ステップＳ２３：ＮＯ）、表示制御部１６２は、レジレスショッピングサービスでは購入できない旨のメッセージを表示部１４０に通知し、表示させる（ステップＳ２４）。これにより、例えば、刺身やアイスクリームなど、店舗での商品選択から配送までに時間がかかってしまうことにより鮮度が落ちてしまう商品や、冷凍など特別な状態での配送が必要な商品をレジレスショッピングサービスでの購入対象外とすることができる。
【００４８】
配送可／不可の情報が配送可を示しており（ステップＳ２３：ＹＥＳ）、同一商品を複数購入する際は、続いて入力部１２０による購入数量の入力を受ける（ステップＳ２５）。情報制御部１６１は、店舗ＩＤに対応付けて、二次元バーコードから取得した商品ＩＤと、入力された購入数量とを記憶部１３０に書き込む（ステップＳ２６）。なお、購入数量の情報が入力されない場合、購入数量はデフォルトで１とする。
【００４９】
続いて、表示制御部１６２は、表示部１４０に読み取りを継続するかあるいは終了するかの確認画面を表示させる。読み取り継続を入力部１２０により入力させることで（ステップＳ２７：ＹＥＳ）、連続した撮像を可能とし、例えば、次の商品コーナーへの移動などによりしばらく時間がたってしまった後でも再びステップＳ２２からの処理を繰り返し、二次元バーコードを撮像することができる。
【００５０】
なお、上記においては、同一商品を複数購入する際は、入力部１２０により購入数量を入力しているが、購入数量分、二次元バーコードを撮像することでもよい。情報制御部１６１は、二次元バーコードから取得した商品ＩＤが、すでに記憶部１３０に記憶されている場合、現在当該商品ＩＤと対応づけて記憶されている購入数量の情報を１加算した購入数量に更新する。取得した商品ＩＤが記憶部１３０に未登録である場合、商品ＩＤと、デフォルトの購入数量である１とを対応付けて記憶部１３０に書き込む。
【００５１】
利用者は、商品の選択が終了すると（ステップＳ２７：ＮＯ）、携帯電話１００の入力部１２０により読み取り終了を入力する。
このように、二次元バーコードの撮影時には、他の装置との通信は発生しない。
【００５２】
なお、利用者が商品に関する情報を見たいと思った場合、携帯電話１００の読取部１５０により二次元バーコードを読み取った後、入力部１２０により商品情報要求指示を入力する。携帯電話１００の情報送信部１６３は、店舗ＩＤと、二次元バーコードから読み取った商品ＩＤと、商品情報要求とをショッピングサーバ２００に送信する。ショッピングサーバ２００の情報出力部２３２は、受信した店舗ＩＤ及び商品ＩＤにより記憶部２２０に記憶されている商品情報を特定し、特定した商品情報から得られる商品名、価格、重量／サイズ、配送手段、商品説明の情報を、または、これらのうちの一部の情報を携帯電話１００へ返送する。携帯電話１００の表示制御部１６２は、受信したこれらの情報を表示部１４０に表示する。利用者が、入力部１２０により確認を入力すると、上記処理に戻る。
【００５３】
［２．４．３  購入内容の確認及び決済］
図８のステップＳ１３における購入内容の確認及び決済の詳細な処理を説明する。
図１０は、購入内容の確認及び決済におけるショッピングサーバ２００の処理フローを示す。
利用者は、購入する全ての商品について、二次元バーコードを撮像し終えた後、携帯電話１００の入力部１２０により購入手続開始指示を入力する。携帯電話１００は、記憶部１３０に蓄積していた店舗ＩＤ、購入商品の商品ＩＤ及び購入数量の情報と、購入手続開始要求をショッピングサーバ２００へ送信し、ショッピングサーバ２００の購入要求受付部２３３は、これらの情報を受信する（ステップＳ３１）。
【００５４】
ショッピングサーバ２００の購入要求受付部２３３は、携帯電話１００から受信した利用者ＩＤにより特定される記憶部２２０内の利用者情報から利用可能店舗の情報を読み出し、受信した店舗ＩＤにより特定される店舗が、読み出した利用可能店舗に含まれているかを判断する。受信した店舗ＩＤにより特定される店舗が、利用者情報から読み出した利用可能店舗に含まれていない場合（ステップＳ３２：ＮＯ）、購入ができない旨を携帯電話１００に通知し、表示させる（ステップＳ３３）。
【００５５】
受信した店舗ＩＤにより特定される店舗が、利用者情報から読み出した利用可能店舗に含まれているか、利用者情報に利用可能店舗が設定されていない場合（ステップＳ３２：ＹＥＳ）、ショッピングサーバ２００の算出部２３４は、受信した店舗ＩＤ及び商品ＩＤにより記憶部２２０内の商品情報を特定し、特定された商品情報から商品名や価格を読み出す。そして、受信した各商品ＩＤ毎に、当該商品ＩＤに対応して読み出した価格と、携帯電話１００から受信した当該商品ＩＤに対応した購入数量とを乗算して各商品の金額を算出し、さらに、算出した各商品の金額を合計して合計金額を得る。算出部２３４は、携帯電話１００から受信した各商品ＩＤに対応する商品名、価格及び購入数量、ならびに、合計金額の情報を携帯電話１００へ返送する（ステップＳ３４）。
【００５６】
携帯電話１００の表示制御部１６２は、ショッピングサーバ２００から受信した購入商品の商品名、価格及び購入数量、ならびに、合計金額の情報を表示部１４０に表示する。利用者は、購入を取り消す商品がある場合、入力部１２０により購入を取り消す商品を選択する。また、購入数量に変更がある場合、入力部１２０により変更後の購入数量を入力する。利用者は、購入商品と購入数量を決定すると、入力部１２０によりパスワードと、購入指示を入力する。携帯電話１００の情報送信部１６３は、パスワードと購入指示をショッピングサーバ２００へ送信する。このとき、購入が取り消された商品がある場合はその商品の商品ＩＤを、購入数量が変更された商品がある場合は、その商品ＩＤ及び変更後の購入数量の情報を併せて送信する。ショッピングサーバ２００の購入要求受付部２３３はこれらの情報を受信する（ステップＳ３５）。
【００５７】
ショッピングサーバ２００の購入要求受付部２３３は、受信したパスワードが、携帯電話１００との通信において常に利用者ＩＤとともに受信するパスワードと一致し、かつ、当該利用者ＩＤにより特定される記憶部２２０内の利用者情報に設定されているパスワードとも一致する場合、利用者が正当であると判断する（ステップＳ３６）。購入取消商品、または、購入数量の変更がある場合、購入要求受付部２３３は、ステップＳ３１において受信した購入対象の商品の商品ＩＤ及び購入数量の組から、購入取り消し商品の商品ＩＤと当該商品ＩＤに対応する購入数量を削除し、購入数量変更商品の商品ＩＤに対応する購入数量を、変更後の購入数量に変更する（ステップＳ３７）。購入要求受付部２３３は、配送先住所、配送希望日時等の配送指示情報の入力指示を携帯電話１００に送信する。
【００５８】
携帯電話１００が配送指示情報の入力指示を受信すると表示制御部１６２は、配送指示情報の入力を促す旨を表示部１４０に表示する。利用者は、携帯電話１００の入力部１２０により配送指示情報と、配送指示情報の送信指示を入力する。携帯電話１００の情報送信部１６３は、入力された配送指示情報をショッピングサーバ２００へ送信する。ショッピングサーバ２００の購入要求受付部２３３は、利用者ＩＤ、店舗ＩＤ、注文日時、受信した配送指示情報と、購入対象の商品の商品ＩＤ、購入数量及び価格の注文商品リストとを設定した注文情報を記憶部２２０に書き込む（ステップＳ３８）。
【００５９】
なお、上記においては、配送可／不可の情報が２次元バーコードに含まれているが、配送可／不可の情報を商品情報内に設定することでもよい。ショッピングサーバ２００の購入要求受付部２３３は、携帯電話１００から受信した店舗ＩＤ及び購入対象の商品ＩＤにより特定される商品情報から配送可／不可の情報を読み出し、配送不可である場合には、購入商品の商品ＩＤから削除する。
【００６０】
続いて、ショッピングサーバ２００の引当部２３５は、購入商品の商品ＩＤに対応した記憶部２２０内の在庫情報から引当可能数量を読み出す。引当可能数量が購入数量以上である場合、在庫情報の引当可能数量を現在の数量から購入数量を減算した数量に書き換える。引当可能数量が購入数量より小さい場合、注文情報に設定されている購入数量を引当可能数量に変更するとともに、在庫情報の引当可能数量を０に書き換える（ステップＳ３９）。
【００６１】
全ての購入商品について在庫引当を行なった後、ショッピングサーバ２００の算出部２３４は、購入商品の商品ＩＤに対応した購入数量と、店舗ＩＤ及び当該商品ＩＤにより特定される商品情報から読み出した価格との乗算から各商品の金額を算出し、算出した各商品の金額を合計して商品の合計金額を得る。さらに、購入要求受付部２３３は、特定された各商品情報から重量／サイズの情報と、配送手段の情報を読み出す。そして、配送時の重量／サイズを算出すると、この重量／サイズと、配送手段と、配送先住所により示される地域とから配送料金を決定し、商品の合計金額と配送料金との合計から請求金額を算出する（ステップＳ４０）。なお、重量／サイズ、配送手段、及び、地域に対応した配送料金の情報は予め記憶部２２０に記憶されているものとする。算出部２３４は、ステップＳ３８において記憶部２２０に書き込んだ注文情報に、商品の合計金額、配送料金、請求金額を追加する。また、ポイント管理部２３６は、ポイント管理サーバ５００から、利用者ＩＤに対応したポイント数を読み出す。算出部２３４は、請求金額及びポイント数の情報を携帯電話１００へ送信する。このとき、引当てできなかった商品や数量の情報を併せて送信することでもよい。なお、配送先の住所により示される地域が配送範囲外の場合、算出部２３４は、配送できない旨を携帯電話１００に表示させる。これにより、例えば、配送日数が多くかかってしまう地域へ生鮮食料品の配送を行なわないようにすることができる。
【００６２】
携帯電話１００の表示制御部１６２は、ショッピングサーバ２００から受信した請求金額及びポイント数、引当できなかった商品や数量の情報を表示部１４０に表示する。利用者は、携帯電話１００の入力部１２０により支払方法と、決済実行指示を入力する。携帯電話１００の情報送信部１６３は、入力された支払方法と、決済実行指示をショッピングサーバ２００へ送信し、ショッピングサーバ２００はこれらの情報を受信する（ステップＳ４１）。
【００６３】
ショッピングサーバ２００は、携帯電話１００から受信した支払方法に応じた決済処理を行う（ステップＳ４２）。決済処理が成功した場合、ショッピングサーバ２００のポイント管理部２３６は、請求金額に対応した加算ポイント数と、利用者ＩＤとをポイント管理サーバ５００へ通知する（ステップＳ４３）。ポイント管理サーバ５００は、受信した利用者ＩＤに対応して記憶しているポイント数を、受信した加算ポイント数を加算したポイント数に変更する。ただし、支払方法がポイントを使用した支払である場合、携帯電話１００から受信した利用ポイント数と、利用者ＩＤとをポイント管理サーバ５００へ通知する。ポイント管理サーバ５００は、受信した利用者ＩＤに対応して記憶しているポイント数を、受信した利用ポイント数を減算したポイント数に変更する。ショッピングサーバ２００の履歴管理部２４３は、ステップＳ３８において記憶部２２０に書き込んだ注文情報の決済ステータスに決済処理成功を書き込むとともに、注文情報内の利用者ＩＤ、店舗ＩＤ、注文日時、注文商品リスト内の商品ＩＤ及び購入数量からなる購入リストを設定した履歴情報を生成して記憶部２２０に書き込む。
以下に、各支払方法に応じた、上述したステップＳ４２における決済処理を説明する。
【００６４】
［２．４．１．１  クレジットカード決済］
支払方法の情報がクレジットカード払いを示している場合、ショッピングサーバ２００の与信要求部２３７は、利用者ＩＤにより記憶部２２０に記憶されている利用者情報を特定し、この特定した利用者情報の決済情報からクレジットカードのカード番号及び有効期限の情報を読み出す。与信要求部２３７は、読み出したクレジットカードのカード番号及び有効期限と、請求金額とを設定したオーソリ（与信処理）要求をカード会社サーバ３００へ送信する。
【００６５】
カード会社サーバ３００の与信処理部３３０は、通信部３１０を介してオーソリ要求を受信すると、記憶部３２０を参照し、オーソリ要求に設定されているクレジットカード番号が、会員マスタに登録されているか、有効期限が満了していないか、クレジットカードのカード番号に対応してクレジットカードが無効である情報が登録されていないか、受信した請求金額と現在の利用額との合計が与信限度枠を超えていないか、などによりクレジットカードの正当性を判断する。与信処理部３３０は、クレジットカードが正当であると判断した場合に、記憶部３２０に記憶している現在の利用額を、請求金額を加算した額に書き換える。与信処理部３３０は、与信チェックの結果を示すオーソリ結果通知をショッピングサーバ２００へ返送する。ショッピングサーバ２００の与信要求部２３７は、オーソリ結果通知を受信し、オーソリが成功した場合は、決済処理が正常に行なわれたと判断し、注文情報の決済ステータスに、決済処理成功を示す情報を書き込む。与信要求部２３７は、携帯電話１００に決済処理結果を通知し、表示させる。
【００６６】
［２．４．１．２  電子マネー決済］
支払方法の情報が電子マネー払いを示している場合、ショッピングサーバ２００の電子マネー決済部２３８は、利用者ＩＤと、請求金額とを電子マネーサーバ４００へ送信する。電子マネーサーバ４００は、受信した利用者ＩＤに対応して自身の備える記憶手段に記憶している電子マネーの金額が受信した請求金額より多い場合は、現在の電子マネーの金額を、請求金額を減算した金額に書き換え、決済成功をショッピングサーバ２００へ通知する。電子マネーの金額が受信した請求金額より少ない場合は、決済失敗をショッピングサーバ２００へ通知する。ショッピングサーバ２００の電子マネー決済部２３８は、注文情報の決済ステータスに、電子マネーサーバ４００から受信した決済処理結果を書き込む。ショッピングサーバ２００の電子マネー決済部２３８は、受信した決済結果を携帯電話１００に通知し、表示させる。
【００６７】
［２．４．１．３  金融機関による決済］
図１１は、金融機関による決済におけるショッピングシステムの処理手順を示す。
携帯電話１００から受信した支払方法の情報がインターネットバンキング払いを示している場合、ショッピングサーバ２００の金融機関決済部２３９は、インターネットバンキング払い、例えば、ペイジー（登録商標）などの電子決済サービスで用いられる決済番号を採番する（ステップＳ５１）。決済番号は、収納機関番号と、お客様番号と、確認番号とからなる。収納機関番号は、レジレスショッピングサービス提供企業の企業コードとするため、この同じ収納機関番号を使用する決済番号において、まだ未使用のお客様番号及び確認番号の組みを割り当てる。そして、生成した決済番号と、支払未を示す支払ステータスとを、図１０のステップＳ３８において記憶部２２０に書き込んだ注文情報に追加して書き込む（ステップＳ５２）。金融機関決済部２３９は、ステップＳ５１において採番した決済番号の情報を携帯電話１００へ送信する（ステップＳ５３）。
【００６８】
携帯電話１００の表示制御部１６２は、受信した決済番号の情報を表示部１４０へ表示させる。利用者は、表示部１４０に表示されている決済番号を確認すると、入力部１２０により情報の保存を入力し、記憶部１３０に決済番号を記憶させる（ステップＳ５４）。ショッピングサーバ２００は、携帯電話１００への決済番号の送信が成功した場合、決済処理が成功したとみなし、注文情報の決済ステータスに、決済処理成功を示す情報を書き込む。
【００６９】
決済番号を確認したのち、利用者は、金融機関のインターネットバンキングにより支払いを行なう。利用者は、携帯電話１００の入力部１２０により、インターネットバンキングによる決済サイト、例えばペイジー（登録商標）による支払サイトへのアクセス指示を入力する。携帯電話１００からインターネットバンキングサーバ６１０へのアクセスが成功すると、続いて、利用者は、携帯電話１００の入力部１２０により、金融機関における当該利用者の顧客番号及びパスワードからなるログイン情報と、ログイン指示を入力する。インターネットバンキングサーバ６１０は、携帯電話１００からログイン情報と、ログイン指示を受信し、受信したログイン情報が正しい場合、正当な利用者であると判断してログインを許可する。
【００７０】
ログインが成功すると、利用者は、携帯電話１００の入力部１２０により、支払に利用する口座の種類や口座番号などの利用口座情報を入力し、利用口座情報送信指示を入力する。なお、インターネットバンキングサーバ６１０が、当該顧客番号の利用者が利用可能な口座の情報を携帯電話１００に通知し、利用者が、通知された口座の中から利用口座を選択するようにしてもよい。インターネットバンキングサーバ６１０は、携帯電話１００から利用口座情報を受信すると（ステップＳ５５）、決済番号の入力を指示する旨を携帯電話１００に表示させる。利用者は、入力部１２０により決済番号と、照会の指示を入力する。
【００７１】
インターネットバンキングサーバ６１０は、携帯電話１００から決済番号及び照会の指示を受信すると（ステップＳ５６）、金融機関通信装置６２０へ送信する（ステップＳ５７）。金融機関通信装置６２０の通知部６２２は、受信した決済番号及び照会の指示を、ショッピングサーバ２００へ送信する（ステップＳ５８）。ショッピングサーバ２００の金融機関決済部２３９は、記憶部２２０を検索し、受信した決済番号が設定されている注文情報を特定する。注文情報が特定された場合、金融機関決済部２３９は、レジレスショッピングサービス提供企業の企業名、特定した注文情報から読み出した請求金額の情報、レジレスショッピングサービスシステムの利用代金であることを示す払込内容からなる支払内容情報を金融機関通信装置６２０へ返送する（ステップＳ５９、６０）。金融機関通信装置６２０は、ショッピングサーバ２００から返送された支払内容情報をインターネットバンキングサーバ６１０へ送信する（ステップＳ６１）。
【００７２】
インターネットバンキングサーバ６１０は、金融機関通信装置６２０を介してショッピングサーバ２００から受信した支払内容情報を、携帯電話１００に送信し、表示させる（ステップＳ６２、Ｓ６３）。利用者は、携帯電話１００の画面に表示された払込先の企業名、自身のお客様番号、払込内容、請求金額などの支払内容を確認すると、携帯電話１００の入力部１２０により、支払実行指示を入力する。インターネットバンキングサーバ６１０は、携帯電話１００から支払実行指示を受信すると（ステップＳ６４）、利用口座情報で示される口座から、代金を金融機関が一時的にプールしておくための別段口座へ、請求金額を振り込む決済処理を行う（ステップＳ６５）。そして、決済処理が成功し、請求金額の支払が完了すると、インターネットバンキングサーバ６１０から金融機関通信装置６２０へ支払完了が通知される（ステップＳ６６）。金融機関通信装置６２０の通知部６２２は、決済番号と、払込が行なわれた日時とを設定した消込情報をショッピングサーバ２００へ送信する（ステップＳ６７）。ショッピングサーバ２００の金融機関決済部２３９は、消込情報を受信すると、記憶部２２０を検索して、消込情報内の決済番号が設定された注文情報を特定し、特定された注文情報に、支払済と支払日時の情報を示す支払ステータスを追加する（ステップＳ６８）。なお、支払日時を、ショッピングサーバ２００が消込情報を受信した日時とすることでもよい。また、消込情報に実際に支払われた金額の情報をさらに設定することでもよい。この場合、金融機関決済部２３９は、特定された注文情報に設定されている請求金額の情報と、消込情報に設定されている支払金額とを照合し、一致した場合に、支払ステータスを更新する。
【００７３】
金融機関は、別段口座にプールしていた利用者の代金をレジレスショッピングサービスシステムの提供企業の口座へ入金する。
なお、上記においては、携帯電話１００からインターネットバンキングサーバ６１０へアクセスしているが、利用者のパーソナルコンピュータなどを用いることでもよい。
【００７４】
［２．４．４  帳票出力及び商品準備］
図８のステップＳ１４における帳票出力及び商品準備の詳細な処理を説明する。
ショッピングサーバ２００は、決済処理が成功した場合、配送指示書番号を生成すると、図１０のステップＳ３８において記憶部２２０に書き込んだ注文情報に、配送指示書番号を追加して書き込む。ショッピングサーバ２００の配送指示部２４０は、利用者ＩＤ、利用者ＩＤにより特定される利用者情報に設定されている利用者氏名、注文情報に設定されている配送指示書番号、配送指示（配送先住所及び配送希望日時）、商品ＩＤ、商品名、購入数量、請求金額の情報を設定した配送指示書データを配送者端末７００に送信する。配送者端末７００は、配送指示書データに基づいた配送指示書をプリンタにより印刷する。店舗あるいは配送センターは、印刷された配送指示書に従って商品を確保し、配送準備を行なう。商品の準備は、作業員により行なうことでもよく、商品ＩＤを入力することで、当該商品ＩＤに対応した商品を保管棚から取り出す自動倉庫により行なうことでもよい。商品配送準備が完了すると、配送者端末７００へ配送指示書番号と配送準備完了とを入力する。なお、商品が確保できなかった場合には、その商品の商品ＩＤと、確保できなかった数量とを入力する。配送者端末７００は、入力された配送指示書番号、確保できなかった商品の商品ＩＤ及び数量、及び、配送準備完了をショッピングサーバ２００へ通知する。店舗あるいは配送センターは、準備した商品を配送する。配送先を店舗とすることにより、利用者は、指定時間に店舗において商品を受け取ることもできる。
【００７５】
ショッピングサーバ２００の配送指示部２４０は、配送指示書番号と、確保できなかった商品の商品ＩＤ及び数量と、配送準備完了を受信すると、配送指示書番号により特定される記憶部２２０内の注文情報の配送スータスに、配送準備完了を示す情報を書き込む。確保できなかった商品がある場合、さらに、配送指示部２４０は、受信した商品ＩＤに対応する注文情報内の購入数量の情報を、当該商品が確保できなかった数量を減算した数量に書き換える。そして、確保できなかった商品それぞれについて、注文情報から当該商品の商品ＩＤに対応した金額を読み出すと、当該商品が確保できなかった数量を乗算した金額を算出し、確保できなかった商品全体の金額を合計して返金金額を算出する。配送指示部２４０は、注文情報に設定されている商品合計金額、請求金額の情報を、返金金額を減算した金額を示す情報に書き換える。
【００７６】
配送通知部２４１は、特定された注文情報から利用者ＩＤを読み出すと、読み出した利用者ＩＤにより特定される記憶部２２０内の利用者情報からメールアドレスを読み出す。配送通知部２４１は、読み出したメールアドレスを宛先にして、配送を通知する内容の電子メールを送信する。このとき、準備できなかった商品がある場合には、その商品と、新たな請求金額を併せて電子メールで通知する。
【００７７】
なお、決済にクレジットカード払いを利用した場合、ショッピングサーバ２００の売上データ生成部２４２は、特定された利用者情報の決済情報からクレジットカードのカード番号及び有効を読み出すとともに、特定された注文情報から請求金額を読み出し、レジレスショッピングサービス提供企業の企業コード、クレジットカードのカード番号及び有効期限、請求金額、売上年月日の情報を含む売上データを生成する。売上データは、記録媒体に記録された後、所定の日時にクレジットカード会社へ渡され、カード会社サーバ３００に読み込まれるか、ネットワーク８２０を介してカード会社サーバ３００へ送信される。カード会社サーバ３００の売上データ生成部２４２は、読込んだ売上データを記憶部３２０に記憶する。
【００７８】
また、決済に電子マネーを利用した場合、ショッピングサーバ２００の電子マネー決済部２３８は、特定された利用者情報の決済情報から電子マネーシステムにおいて用いられている利用者ＩＤを読み出す。電子マネー決済部２３８は、読み出した利用者ＩＤと、返金金額とを電子マネーサーバ４００へ送信する。電子マネーサーバ４００は、受信した利用者ＩＤに対応して自身の備える記憶手段に記憶している電子マネーの金額を、返金金額を加算した金額に書き換える。
【００７９】
なお、ステップＳ１３において商品の引当を行なった結果、必ず商品が準備できる場合には、オーソリ処理と売上データ生成処理を同時に行ってもよい。
【００８０】
［３．  第２の実施形態］
本実施形態では、商品の識別情報として、商品個々を特定する商品ＩＤを用いる。たとえば、生鮮食料品などは、同じ種類であっても個々の商品は異なっており、衣料品などは、同じデザイン・サイズであっても、縫製や柄の表れ方が異なっている場合がある。そこで、同じ種類の商品であっても、現品の１つ１つに異なる商品ＩＤが付与されているものとする。本実施形態のショッピングシステムは、第１の実施形態と同様のシステム構成であり、以下、第１の実施形態との差分のみを説明する。
【００８１】
ショッピングサーバ２００の記憶部２２０に記憶される利用者情報、商品情報、注文情報、履歴情報は第１の実施形態と同様である。
図１２は、本実施の形態によるショッピングサーバ２００の記憶部２２０に記憶される在庫情報を示す図である。同図において、商品情報は、店舗ＩＤ及び商品ＩＤと、引当可／不可を対応付けた情報を示す。
【００８２】
第１の実施形態のショッピングシステムの処理との差分を説明する。
図９において、ステップＳ２５の購入数量の入力は行なわない。購入商品の購入数量は常に１としてもよく、購入数量の情報を使用しなくともよい。
また、図１０のステップＳ３９において、ショッピングサーバ２００の引当部２３５は、店舗ＩＤ、及び、購入対象の商品の商品ＩＤにより記憶部２２０に記憶されている在庫情報を特定し、特定した在庫情報に引当可が設定されている場合、引当不可に書き換える。一方、特定した在庫情報に引当不可が設定されている場合、図１０のステップＳ３１において携帯電話１００から受信した購入商品の商品ＩＤより、その引当できなかった商品の商品ＩＤを除外する。
【００８３】
図８のステップＳ１４においては、利用者が利用した店舗、すなわち、携帯電話１００から受信した店舗ＩＤにより特定される店舗の配送者端末７００へ配送指示書データを送信することになる。店舗では、配送指示書に印刷された商品ＩＤにより特定される、店舗内に陳列されている商品を確保し、配送準備を行なうが、本実施形態の場合、他の買い物客が現物をレジに運んで購入してしまっていることが考えられる。その場合、店舗の従業員は、第１の実施形態にも記載したように、確保できなかった商品の商品ＩＤを入力する。配送者端末７００は、配送指示書番号、確保できなかった商品の商品ＩＤ、及び、配送準備完了をショッピングサーバ２００へ通知する。
【００８４】
上記以外の処理は、第１の実施形態と同様である。
本実施形態のように、個々の商品について商品ＩＤが異なる場合、商品に直接貼付または印刷されている画像を撮像することにより、ＩＣタグなどを用いた電波による商品ＩＤの読み取りと比較し、確実に購入商品の商品ＩＤを取得することができる。
【００８５】
［４．  履歴からの注文］
第１の実施形態においては、利用者の履歴情報を用いて購入を行なうことができる。
この場合、利用者は、携帯電話１００の入力部１２０により、レジレスショッピングの購買履歴表示サイトのＵＲＬを入力し、アクセスを指示する。続いて、利用者は、携帯電話１００の入力部１２０により、自身のパスワードを入力する。携帯電話１００は、入力されたパスワードをショッピングサーバ２００に送信する。ショッピングサーバ２００の履歴管理部２４３は、受信したパスワードが、携帯電話１００との通信において常に利用者ＩＤとともに受信するパスワードと一致し、かつ、当該利用者ＩＤにより特定される記憶部２２０内の利用者情報に設定されているパスワードとも一致する場合に、アクセス元の携帯電話１００が正当であると判断する。ショッピングサーバ２００の履歴管理部２４３は、利用者ＩＤにより特定される履歴情報を記憶部２２０から読み出して携帯電話１００に送信する。
【００８６】
携帯電話１００の表示制御部１６２は、受信した履歴情報を表示部１４０へ表示させる。利用者は、携帯電話１００の入力部１２０により、履歴情報として表示されている商品の中から、再び購入したい商品を選択して購入数量を入力するとともに、購入要求の送信指示を入力する。携帯電話１００の情報送信部１６３は、選択された購入商品の商品ＩＤ及び購入数量、当該商品を購買した店舗ＩＤの情報と、購入手続開始要求をショッピングサーバ２００へ送信する。以降は、図８のステップＳ１３０以降と同様の処理を行う。
【００８７】
［５．  カタログからの注文］
第１の実施形態においては、店舗において購入商品の商品ＩＤを示す画像を撮像しているが、カタログショッピングの商品カタログに、商品ＩＤを示す画像を印刷しておくことにより、同様の処理によりカタログショッピングサービスを提供することができる。
カタログショッピングの場合、利用者は、カタログに印刷されている、商品ＩＤを示す二次元バーコードを携帯電話１００により撮像し、上記と同様の処理を行う。このとき、例えば、店舗ＩＤの代わりにカタログの種類を示すＩＤ等を用いることもできる。カタログの種類を特定するＩＤを示す画像も同様にカタログに印刷しておき、携帯電話１００により撮像し、取得する。
【００８８】
上記実施形態によれば、利用者は、現物を確認しながら商品を選び、レジに並ばずに商品を購入することができる。また、商品の識別情報として現在店舗にて商品に貼付あるいは印刷されているバーコードを使用することもできるため、各商品それぞれについて新たな対応をせずに、レジレスショッピングサービスを提供することができる。あるいは、個々の商品を特定する商品ＩＤを用いることで、実際に確認したその現物の商品をレジに並ばずに購入することができる。
利用者は一度購入した商品を再び購入することも多いため、購入履歴を用いた注文を提供し、一度現物を確認した商品については、店舗に再び出向くことなく購入することができる。また、店舗に来店できない利用者には、カタログによる購入を可能とする。
【００８９】
なお、上述の携帯電話１００、ショッピングサーバ２００、カード会社サーバ３００、電子マネーサーバ４００、ポイント管理サーバ５００、インターネットバンキングサーバ６１０、金融機関通信装置６２０、及び、配送者端末７００は、内部にコンピュータシステムを有している。そして、携帯電話１００の処理部１６０、ショッピングサーバ２００の処理部２３０、カード会社サーバ３００の与信処理部３３０及び売上データ記録部３４０、電子マネーサーバ４００、ポイント管理サーバ５００、インターネットバンキングサーバ６１０、金融機関通信装置６２０の通知部６２２、ならびに、配送者端末７００の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【００９０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００９１】
なお、本発明は、上記において説明した実施形態に限定されるものではなく、その主旨を逸脱しない範囲において種々変更可能であり、それらも本発明の範囲内に包含されるものであることは言うまでもない。
【図面の簡単な説明】
【００９２】
【図１】本発明の実施形態によるレジレスショッピングサービスの概要を示す図である。
【図２】第１の実施形態によるショッピングシステムのブロック図である。
【図３】同実施形態による利用者情報のデータ構成例を示す図である。
【図４】同実施形態による商品情報のデータ構成例を示す図である。
【図５】同実施形態による注文情報のデータ構成例を示す図である。
【図６】同実施形態による履歴情報のデータ構成例を示す図である。
【図７】同実施形態による在庫情報のデータ構成例を示す図である。
【図８】同実施形態によるレジレスショッピングサービスの業務フローを示す図である。
【図９】同実施形態による購入商品のバーコード撮像における処理フローを示す図である。
【図１０】同実施形態による購入内容の確認及び決済における処理フローを示す図である。
【図１１】同実施形態による金融機関決済における処理フローを示す図である。
【図１２】第２の実施形態による在庫情報のデータ構成例を示す図である。
【符号の説明】
【００９３】
１００…携帯電話
１１０…通信部
１２０…入力部
１３０…記憶部
１４０…表示部
１５０…読取部
１６０…処理部（受信部）
１６１…表示制御部
１６２…情報送信部
１６３…情報制御部
２００…ショッピングサーバ
２１０…通信部
２２０…記憶部
２３０…処理部
２３１…登録部
２３２…情報出力部
２３３…購入要求受付部
２３４…算出部
２３５…引当部
２３６…ポイント管理部
２３７…与信要求部
２３８…電子マネー決済部（決済処理部）
２３９…金融機関決済部（決済番号生成部、請求金額通知部、消込部）
２４０…配送指示部
２４１…配送通知部
２４２…売上データ生成部（決済処理部）
２４３…履歴管理部
３００…カード会社サーバ
３１０…通信部
３２０…記憶部
３３０…与信処理部
３４０…売上データ記録部
４００…電子マネーサーバ
５００…ポイント管理サーバ
６００…金融機関システム
６１０…インターネットバンキングサーバ
６２０…金融機関通信装置
６２１…通信部
６２２…通知部
７００…配送者端末
【図１】
2010061544.tif 000003
【図２】
2010061544.tif 000004
【図３】
2010061544.tif 000005
【図４】
2010061544.tif 000006
【図５】
2010061544.tif 000007
【図６】
2010061544.tif 000008
【図７】
2010061544.tif 000009
【図８】
2010061544.tif 000010
【図９】
2010061544.tif 000011
【図１０】
2010061544.tif 000012
【図１１】
2010061544.tif 000013
【図１２】
2010061544.tif 000014